【手続補正書】
【提出日】平成16年12月16日(2004.12.16)
【手続補正１】
【補正対象書類名】明細書
【補正対象項目名】全文
【補正方法】変更
【補正の内容】
【書類名】      明細書
【発明の名称】  物品移送ステーション
【特許請求の範囲】
【請求項１】
第１コンベヤ（５８）から第２コンベヤ（６０）にカートン（５４）を移送するカートン移送ステーションにおいて、前記ステーションが、カートン（５４）を略垂直の軸線を中心として所定の角度にわたって支持するとともにそれらの方位を前記角度で変えるステーションと、カートン（５４）をそれらの方位を変えることなしに前記軸線を中心として前記所定の角度にわたって支持するステーションとのいずれかを選択できるようにする装置（１０／１０ａ，１０ｂ，３１，３９；２３Ａ−２３Ｄ，１６−２２；６４，６６，８０−８６）を包含することを特徴とするカートン移送ステーション。
【請求項２】
請求項１記載のステーションにおいて、前記装置（１０／１０ａ，１０ｂ，３１，３９；２３Ａ−２３Ｄ，１６−２２；６４，６６，８０−８６）が、前記軸線を中心として回転でき、各々のカートンを受ける第１受部（Ａ−Ｄ）を含む第１装置（１０／１０ａ）、前記第１装置（１０／１０ａ）を装架し、前記軸線を中心として回転できる装架部（３５）、前記第１装置（１０／１０ａ）を前記装架部（３５）に容易に解放可能に接続する接続部（３１，３９）を包含し、前記第１装置（１０／１０ａ）が、各々のカートンを受ける第２受部（Ａ′−Ｄ′）を含む第２装置（１０ｂ）により交換のために前記装架部（３５）から取外しできることを特徴とするステーション。
【請求項３】
請求項２記載のステーションにおいて、前記接続部（３１，３９）が前記装架部（３５）のまわりに容易に取外し可能に固定されることを特徴とするステーション。
【請求項４】
請求項２又は３記載のステーションにおいて、中央固定部材（１４，６２）をさらに包含し、前記第１装置（１０／１０ａ）が、前記軸線を中心として前記装架部（３５）と共に回転できる支持部材（１２）を包含し、前記第１受部（Ａ−Ｄ）が前記支持部材（１２）に対して回転可能に装架され、前記支持部材（１２）と共に移動でき、中央固定部材（１４；６２）に作動的に接続されて、これにより駆動されることを特徴とするステーション。
【請求項５】
請求項４記載のステーションにおいて、前記中央固定部材（１４）が歯車であり、前記装架部（３５）が中央固定歯車（１４）を軸線方向に貫通する外部被駆動部材（３５）を包含し、前記第１受部（Ａ−Ｄ）が前記第１装置（１０）のアイドル歯車（２３）と噛合する被駆動歯車（１６−２２）を包含し、このアイドル歯車が前記中央固定歯車（１４）と噛合することを特徴とするステーション。
【請求項６】
請求項２ないし５いずれか１項に記載のステーションにおいて、前記第２装置（１０ｂ）が前記装架部（３５）と共に前記軸線を中心として回転できる第２支持部材（１２′）を包含し、前記第２受部（Ａ′−Ｄ′）が前記第２支持部材（１２′）に固定されていることを特徴とするステーション。
【請求項７】
請求項２ないし６のいずれか１項に記載のステーションにおいて、前記受部（Ａ−Ｄ；Ａ′−Ｄ′）の各々が受部（Ａ−Ｄ；Ａ′−Ｄ′）のまわりに分配されたカートン保持部材（２４−３０）を包含することを特徴とするステーション。
【請求項８】
請求項７記載のステーションにおいて、各受部（Ａ−Ｄ；Ａ′−Ｄ′）の前記カートン保持部材（２４−３０）が４つの略垂直コーナーガイド（２４−３０）であることを特徴とするステーション。
【請求項９】
請求項８記載のステーションにおいて、前記４つの略垂直コーナーガイド（２４−３０）の各々が９０°の受けコーナーを形成し、各ガイド（２４−３０）の上方入口端縁に面取り（５２）が形成されていることを特徴とするステーション。
【請求項１０】
請求項２ないし９のいずれか１項に記載のステーションにおいて、前記受部（Ａ−Ｄ；Ａ′−Ｄ′）の選択された１つ又は選択された対におけるカートン（５４）又は対のカートン（５４）を配置する装荷装置（５６）をさらに包含することを特徴とするステーション。
【請求項１１】
請求項２ないし１０のいずれか１項に記載のステーションにおいて、各受部又は各対の受部（Ａ−Ｄ；Ａ′−Ｄ′）からカートン（５４）又は対のカートン（５４）を取外し、前記カートン又は前記対のカートン（５４）を前記第２コンベヤ（６０）上に配置する取外し装置（５９）をさらに包含することを特徴とするステーション。
【請求項１２】
請求項１０又請求項１０に従属する請求項１１に記載のステーションにおいて、前記第１コンベヤ（５８）がマンドレル（５８）を包含し、前記装荷装置（５６）がカートン（５４）をマンドレル（５８）から取外すように働くことを特徴とするステーション。
【請求項１３】
請求項１に記載のステーションにおいて、中央固定部材（１４；６２）と、前記軸線を中心として回転でき、支持部材（１２）、それぞれのカートン（５４）を受け前記支持部材（１２）に対して回転可能に装架された受部（Ａ−Ｄ）、及び前記装置（２３Ａ−２３Ｄ，１６−２２；６４，６６，８０−８６）を包含する第１装置（１０，１０ａ）とを含み、前記装置（２３Ａ−２３Ｄ，１６−２２；６４，６６，８０−８６）が前記中央固定部材（１４；６２）を前記受部（Ａ−Ｄ）に分離可能に接続して前記受部（Ａ−Ｄ）を前記中央固定部材（１４；６２）に対して回転させることを特徴とするステーション。
【請求項１４】
第１コンベヤ（５８）から第２コンベヤ（６０）にカートン（５４）を移送するためのカートン移送ステーションを、カートン（５４）を略垂直の軸線を中心として所定の角度にわたって支持するとともにそれらの方位を前記角度で変えるステーションと、カートン（５４）をそれらの方位を変えることなしに前記軸線を中心として前記所定の角度にわたって支持するステーションとのいずれかに選択することを特徴とする方法。
【請求項１５】
請求項１４記載の方法において、前記選択は、第１支持部材（１２）に対して回転可能な第１カートン受部（Ａ−Ｄ）を含む第１装置（１０／１０ａ）、又は第２支持部材（１２′）に固定された第２カートン受部（Ａ′−Ｄ′）を含む第２装置（１０ｂ）のいずれかを、ステーションの回転装架部（３５）に接続するかを選択することから成ることを特徴とする方法。
【請求項１６】
請求項１４記載の方法において、前記選択は、第１支持部材（１２）に対して回転可能な第１カートン受部（Ａ−Ｄ）を含む第１装置（１０／１０ａ）と、第２支持部材（１２′）に固定された第２カートン受部（Ａ′−Ｄ′）を含む第２装置（１０ｂ）との一方を、ステーションの回転駆動部（３５）から分離し、そして前記第１装置（１０／１０ａ）及び前記第２装置（１０ｂ）の前記一方を前記第１装置（１０／１０ａ）及び前記第２装置（１０ｂ）の他方に交換することから成ることを特徴とする方法。
【請求項１７】
請求項１４記載の方法において、前記選択は、中央固定部材（１４；６２）と、前記中央固定部材（１４；６２）を中心として回転できる支持部材（１２）に回転可能に支持されたカートン受部（Ａ−Ｄ）との間で駆動要素（２３Ａ−２３Ｄ；６４，６６）を選択的に分離及び接続することから成ることを特徴とする方法。
【請求項１８】
第１コンベヤ（５８）から第２コンベヤ（６０）に物品（５４）を移送する物品移送ステーションであって、物品（５４）を略垂直の軸線を中心として所定の角度にわたって支持するとともにそれらの方位を前記角度で変えるステーションと、物品（５４）をそれらの方位を変えることなしに前記軸線を中心として前記所定の角度にわたって支持するステーションとのいずれかを選択できるようにする装置（１０／１０ａ，１０ｂ，３１，３９）を包含し、前記装置（１０／１０ａ，１０ｂ，３１，３９）が、前記軸線を中心として回転でき、各々のカートンを受ける第１受部（Ａ−Ｄ）を含む第１装置（１０／１０ａ）と、前記第１装置（１０／１０ａ）を装架し、前記軸線を中心として回転できる装架部（３５）とを包含する物品移送ステーションにおいて、前記第１装置（１０／１０ａ）を前記装架部（３５）に容易に解放可能に接続する接続部（３１，３９）を包含し、前記第１装置（１０／１０ａ）が、各々の物品を受ける第２受部（Ａ′−Ｄ′）を含む第２装置（１０ｂ）により交換のために前記装架部（３５）から取外しできることを特徴とする物品移送ステーション。
【請求項１９】
第１コンベヤ（５８）から第２コンベヤ（６０）に物品（５４）を移送するためのカートン移送ステーションを、カートン（５４）を略垂直の軸線を中心として所定の角度にわたって支持するとともにそれらの方位を前記角度で変えるステーションと、物品（５４）をそれらの方位を変えることなしに前記軸線を中心として前記所定の角度にわたって支持するステーションとのいずれかに選択する方法において、前記選択は、第１支持部材（１２）に対して回転可能な第１物品受部（Ａ−Ｄ）を含む第１装置（１０／１０ａ）、又は第２支持部材（１２′）に固定された第２物品受部（Ａ′−Ｄ′）を含む第２装置（１０ｂ）のいずれかを、ステーションの回転装架部（３５）に接続するかを選択することから成ることを特徴とする方法。
【発明の詳細な説明】
【０００１】
本発明は、移送ステーション、より詳細には、移送されるカートンの方位の変化を生じないようにしたカートン移送ステーションに関する。
【０００２】
ＵＳ−Ａ−１,４３１,９３０、ＵＳ−Ａ−３,８６８,００９及びＵＳ−Ａ−５,１８８,２１２の各々は、垂直軸線をもつスイベルアームと、スイベルアーム軸線上に回転可能に装架され同じ方位に少なくとも部分的に延びる回転プレートを変えることなしに、物品を移送するための回転装置を開示している。ＵＳ−Ａ−５,１８８,２１２では、装置は第１及び第２コンベヤを含む。駆動装置は回転プレートを回転させるために設けられている。キャリヤは、回転プレートの周囲に沿って等間隔で、回転プレートの下に回転可能に装架されている。キャリヤは、逆回転用のキャリヤ軸線及び第１コンベヤにより搬送された生理用ナプキンを連続的につかむためのグリッパを有する。ナプキンは第２コンベヤに輸送され、第１コンベヤに対するナプキンの方位を変えることなしに第２コンベヤ上に載置される。回転プレートの中心とキャリヤとの間の操作半径は可変である。固定の中央つめ車が、キャリヤに固定された外部つめ車に１つ以上の歯付きベルトによって接続される。回転プレートは反時計方向に回るにつれて、中央及び外部つめ車とベルトはキャリヤを時計方向に駆動し、その結果、ナプキンはコンベヤに対して同じ方位を維持する。また、物品の長手方向軸線を入力コンベヤの長手方向軸線と整合させながら物品を入力コンベヤ上に到着させること、及び、入力コンベヤに対して直角に物品の長手方向軸線を出力コンベヤの長手方向軸線と整合させながら物品を送り出すことが可能である。この構成は、物品を新ルートで簡単に送るのに適している。これは、キャリヤの駆動を中断することにより、あるいは、中央つめ車を回転プレートと共に回転させることによって遂行される。
【０００３】
ＵＳ−Ａ−５,０２９,６９５は、その周囲のまわりの指向された位置で物品を或るコンベヤ機構から他の機構へ移送するための星形車を提示している。
【０００４】
ＧＢ−Ａ−２ｌ００６９６は、カートンを形成し充填し密封するための機械を開示しており、この機械は８つの作業ステーション、すなわち、ストロー及び密封テープのアプリケータステーション、カートンブランクの包装及び折曲げステーション、シーム及び一端の接着ステーション、カートン回転及びコンベヤ移送ステーション、他端の閉鎖予形成ステーション、充填ステーション、他端の閉鎖密封ステーション及びカートンのエゼクタステーションを包含する。シーム及び一端の接着ステーションでは、すべてのカートンブランクは、水平軸線を有する回転クロスバーマンドレル上に移送され、そして一連の操作を経て、カートンのサイドシームは密封され、カートンの一端閉鎖が形成され密封される。カートン回転及びコンベヤ移送ステーションでは、すべてのカートンはクロスバーマンドレルから取り出され、水平であるそれ自身の長手方向軸線を中心として直角に回転され、そしてコンベヤ上に挿入され、カートンは機械から放出されるまでコンベヤ上に残る。
【０００５】
ＵＳ−Ａ−４,３３７,０５９は、カートンを形成し充填し密封するための機械を開示しており、この機械では、カートンは、カートンの形成、充填及び密封を行うために多種の作業ステーションを通して割り出しされる。カートンの底部閉鎖の形成は、垂直軸線を有する回転タレット上で行われる。タレットは、カートンをステーションへ順番に導くためにその軸線のまわりに段付けられ、各ステーションに２つのマンドレルを含み且つ１つのステーションから次のステーションへ２つのマンドレルを割り出しするタイプのものである。タレットから、底部閉鎖・開放頂部のカートンは、チェーンコンベヤにより多種のステーションを通して順次直線的に前進され、これらのステーションでは、カートンが充填され、その頂部閉鎖が形成される。この機械での困難さは、互いに平行に方位された頂部及び底部閉鎖を有するカートンと、互いに垂直に方位された頂部及び底部閉鎖を有するカートンが、特に頂部及び底部閉鎖形成ステーションに関して異なる機械レイアウトを必要とするということである。
【０００６】
カートンの様々なサイズは長年にわたって導入されている。１リットル切妻型頂部のカートンはヒトラー戦争直前に導入され、半ガロン（あるいは２リットル）切妻型頂部のカートンはこの戦争の末期頃に現われている。各カートンスリーブは、底部閉鎖パネルを折曲げ及び密封することにより閉鎖される底部を有し、それから充填され、そして頂部閉鎖パネルを折曲げ及び密封することにより閉鎖される頂部を有する。各閉鎖はスリーブの両側にそれぞれ２つの主パネルを含んでいる。半ガロンカートンスリーブでは、頂部閉鎖の２つの主パネルは、最初は、底部閉鎖の２つの主パネルと実質的に同一平面にある。しかしながら、リットルカートンスリーブでは、頂部閉鎖の２つの主パネルは、最初は、底部閉鎖の２つの主パネルが位置する平面に対して実質的に垂直な平面に位置する。一般に、切妻型頂部の主パネルが底部閉鎖のものと同じに方位されているカートンは、「標準の第５パネル」カートンと称され、切妻型頂部の主パネルが底部閉鎖のものから９０°に方位されているカートンは、「逆第５パネルカートン」と称される。
【０００７】
歴史上、標準の第５パネルカートン及び逆第５パネルカートンの形成、充填及び密封は、個別の機械で実行され、その操作は、融通性に乏しく、比較的高い投資を必要としている。
【０００８】
１９６０年代中頃以来、半ガロンカートン及び１リットルカートンの両方を形成し充填し密封するための機械が、ますます使用されている。機械は、水平軸線を中心として回転可能であり、それぞれマンドレルの形状のアームを有するスパイダを含んでおり、このマンドレルには、カートンスリーブが装架され、それから底部を閉鎖される。底部閉鎖カートンは、その後の充填及び次なる頂部の折曲げ及び密封のために、マンドレルからチェーンコンベヤのポケットへ順番に移送される。頂部の密封は、口部を密封することにより行われる。底部閉鎖半ガロンカートンスリーブあるいは底部閉鎖１リットルカートンスリーブのいずれかは、頂部密封口部に到着する前に、自身の軸線を中心として（場合に応じ１リットルカートンスリーブあるいは半ガロンカートンスリーブに対して）９０°を回転される必要があり、その結果、それらの頂部閉鎖の主パネルは、頂部密封ステーションに到着したときに口部に対して正しく方位される。選択された設計のカートンスリーブが自身の軸線を中心として９０°を回転されるようにするために、スパイダとチェーンコンベヤとの間には、自身の軸線を中心として回転可能で空間的に変位可能な吸着カップを含む比較的複雑な移送機構が設けられている。マンドレルは、底部閉鎖カートンスリーブを吸着カップへ順番に与え、この吸着カップはカートンスリーブの底部閉鎖を掴むために前進され、次にカートンスリーブをマンドレルから取り出しそしてチェーンコンベヤのポケットへ移送するために引っ込められる。９０°を回転されることになっている選択されたカートンスリーブについては、吸着カップは、移送を実行している間に自身の軸線を中心として９０°を回転される。この移送機構は比較的複雑であるだけではなく、相当のスペースを必要とする。上述したものに類似する機械が、ＵＳ−Ｅ−２６６５６に開示されている。
【０００９】
ＥＰ−Ｂ−０３５５０６３は包装システムを開示しており、このシステムでは、カートンスリーブは、それぞれのマンドレルで受け取られる間に底部を密封的に閉鎖され、こうして形成された開放頂部のカートンは、マンドレルから取り出されそして充填され、充填されたカートンは、頂部を密封的に閉鎖される。底部が密封的に閉鎖されることと、カートンが充填されることとの間では、半ガロンカートンは、その頂部閉鎖密封サブパネルを頂部密封のための正しい方位に導くために、自身の軸線を中心として直角に回転される。そのような回転を可能にするために、マンドレルは、作用位置と非作用位置との間で変位可能なカムにより自身の軸線を中心として回転できるようにターンテーブル上に装架される。ターンテーブルは、底部閉鎖に主に関係する多種のステーションを通してカートンスリーブを割り出しする回転タレットである。
【００１０】
ＤＥ−Ａ−１９５１３４１１は、力を伝え且つ駆動ハブのフランジ上に心出しし正確に位置決めするように、瓶処理システムにおける半径方向コンベヤを位置決めする装置及び半径方向コンベヤを固定し変更する方法を開示している。個別の伝達、心出し及び固定要素が、フランジを通してあるいはフランジ上に半径方向コンベヤを心出しし固定しそして力を伝えるために特に設けられている。力の伝達、心出し及び固定は、フランジに貫通半径方向溝を与えることにより達成され、溝の一側には、伝達要素としてフェザーキーが固定され、また、このフランジに装架される構造部材として、半径方向コンベヤが心出しされ、フランジ径に一致する心出しリングと固定リングとの間でクランプされ、固定リングも、伝達要素としてのフェザーキーを一側に配置した貫通半径方向溝を有する。
【００１１】
本発明の第１の様相によると、第１コンベヤから第２コンベヤにカートンを移送するカートン移送ステーションにおいて、前記ステーションが、カートンを略垂直の軸線を中心として所定の角度にわたって支持するとともにそれらの方位を前記角度で変えるステーションと、カートンをそれらの方位を変えることなしに前記軸線を中心として前記所定の角度にわたって支持するステーションとのいずれかを選択できるようにする装置を包含することを特徴とするカートン移送ステーションを提供している。
【００１２】
本発明の第２の様相によると、第１コンベヤから第２コンベヤにカートンを移送するためのカートン移送ステーションを、カートンを略垂直の軸線を中心として所定の角度にわたって支持するとともにそれらの方位を前記角度で変えるステーションと、カートンをそれらの方位を変えることなしに前記軸線を中心として前記所定の角度にわたって支持するステーションとのいずれかに選択することを特徴とする方法を提供している。
【００１３】
本発明の第３の様相によると、第１コンベヤから第２コンベヤに物品を移送する物品移送ステーションであって、物品を略垂直の軸線を中心として所定の角度にわたって支持するとともにそれらの方位を前記角度で変えるステーションと、物品をそれらの方位を変えることなしに前記軸線を中心として前記所定の角度にわたって支持するステーションとのいずれかを選択できるようにする装置を包含し、前記装置が、前記軸線を中心として回転でき、各々のカートンを受ける第１受部を含む第１装置と、前記第１装置を装架し、前記軸線を中心として回転できる装架部とを包含する物品移送ステーションにおいて、前記第１装置を前記装架部に容易に解放可能に接続する接続部を包含し、前記第１装置が、各々の物品を受ける第２受部を含む第２装置により交換のために前記装架部から取外しできることを特徴とする物品移送ステーションを提供している。
【００１４】
本発明の第４の様相によると、第１コンベヤから第２コンベヤに物品を移送するためのカートン移送ステーションを、カートンを略垂直の軸線を中心として所定の角度にわたって支持するとともにそれらの方位を前記角度で変えるステーションと、物品をそれらの方位を変えることなしに前記軸線を中心として前記所定の角度にわたって支持するステーションとのいずれかに選択する方法において、前記選択は、第１支持部材に対して回転可能な第１物品受部を含む第１装置、又は第２支持部材に固定された第２物品受部を含む第２装置のいずれかを、ステーションの回転装架部に接続するかを選択することから成ることを特徴とする方法を提供している。
【００１５】
本発明によると、移送される物品、特にカートンの方位を選択的に変えたり保持したりするのに適する移送装置を簡単な方法で提供することが可能である。
【００１６】
本発明の一実施例では、回転移送装置は４つの受部を有し、４側面カートンのような２つの物品が２つの対向配置された受部に同時に受け取られ、９０°回転され、そして１つのコンベヤ上に直列に載置され、その間２つの更なる物品が他の２つの対向配置された受部に受け取られる。
【００１７】
有益的には、ステーションは、中央駆動部材により回転される回転可能な支持部材と、支持部材に装架され、支持部材と共に移動でき且つ４つのピニオンと噛合する４つの歯車とを包含し、ピニオン自体は中央歯車及び２つの歯車の各々に形成した受部に噛合する。
【００１８】
代わりとして、プーリが中央歯車及び４つの歯車に代えて用いられ、ベルトが４つのピニオンに代えて用いられ、プーリのまわりに装架される。
【００１９】
受部は回転可能な支持部材に固定可能であり、あるいは、回転移送装置は第２回転移送装置に交換可能であり、この装置では、他の受部が他の回転可能な支持部材に固定されている。
【００２０】
本発明を明確に且つ十分に説明するために、一例として添付図面を参照して説明する。
【００２１】
図面を詳細に説明すると、図１及び２は、中央固定歯車１４のまわりに回転可能に装架された支持部材１２を含む回転移送装置１０を示している。４つの等間隔に離間された外方歯車１６，１８，２０及び２２が、中央固定歯車１４の外側で支持部材１２に装架されている。アイドル歯車２３Ａが中央固定歯車１４及び隣接する外方歯車２２と噛合する。同様に、アイドル歯車２３Ｂが歯車１４及び１６と噛合し、アイドル歯車２３Ｃが歯車１４及び１８と噛合し、そしてアイドル歯車２３Ｄが歯車１４及び２０と噛合する。
【００２２】
４つの等間隔に離間され垂直方向に方位されたコーナー当接部材２４，２６，２８及び３０は、移送ステーションの下流側で液体を満たされる頂部開放カートンのような物品を受けるのに適したポケット又は受部Ａ，Ｂ，Ｃ及びＤをそれぞれ形成する各歯車１６，１８，２０及び２２内でこれを下方に越えるようにして固着されている。
【００２３】
図２に示されているように、中央固定歯車１４は部材３４にボルト３２で固着されている。支持部材１２は３６で示した外部源により駆動される中央軸３５に回転可能に固定されている。支持部材１２と駆動源３６との間の部材３７は、これを貫通する軸３５のためのガイドとして働く。支持部材１２は、この部材１２に溶接され止めねじ３１で軸３５の長手方向に固定されキー３３で軸３５の円周方向に固定されたＣクリップ３９によって、軸３５に固定されている。
【００２４】
各外方歯車１６，１８，２０及び２２は上方及び下方円筒状延長部３８及び４０の中間部分として形成されている。円筒状延長部は、支持部材１２に形成した環状凹所４６内に装架した上方及び下方軸受４２及び４４の内部に回転可能に装架されている。各下方円筒状延長部４０は、４つのコーナー当接部材２４，２６，２８及び３０の各組のまわりに形成されねじ４１で延長部４０に取付けられたフランジ４８上に置かれる。
【００２５】
面取り端縁５２が、５４で示した４側面カートンをポケットＡ，Ｂ，Ｃ及びＤ内へ案内するようにして、コーナー当接部材２４，２６，２８及び３０の各々の各端部に形成されており、カートンは摩擦ばめでポケット内に保持される。
【００２６】
例えばＡの単一の受けポケットが特定の適用、好適な適用において選択されてよく、ポケットＡ及びＣの各々が、底部を閉塞され熱可塑材を被覆されたカートン５４を、図２に５６で示すストリッパ機構を介して、底部形成タレットの５８で示すそれぞれのマンドレルで受けており、このタレットはここでは図示されていないが、米国特許第４,５９０,７４０号に開示されている。
【００２７】
９０°割り出しされた後（この間、歯車１６〜２２はポケットＡ及びＣ内の２つのカートン５４をそれらの初期方位に保持する）、今は図１で位置Ｂ及びＤにある２つのカートン５４は、ストリッパ機構５６と同様の図２に５９で示す適宜の付加のストリッパ機構によって、それぞれのポケットから図１に６０で示す単ラインコンベヤ上へ下方に引張られ、その後は上記特許第４,５９０,７４０号に図示し記載したような頂部充填、形成及び密封ステーションを通して割り出しされる。同時に、今はＡ及びＣとして示したそれぞれの位置にあるポケットＢ及びＤは、次の２つのマンドレル５８から２つの追加のカートン５４を受ける。
【００２８】
図３及び４の回転移送装置１０ａに関し、中央複幅プーリ６２が中央歯車１４の代わりに用いられ、プーリ８０，８２，８４及び８６が４つの外方歯車１６，１８，２０及び２２の代わりに用いられ、２つのベルト６４及び６６が４つのアイドル歯車２３Ａ〜２３Ｄの代わりに用いられていることに注目されたい。各ベルトは中央プーリ６２と２つの隣接するプーリ８０／８２及び８４／８６のまわりに装架されている。４つのコーナー当接部材２４，２６，２８及び３０はプーリ８０，８２，８４及び８６の各々の内部に固着されている。
【００２９】
図５及び６の回転移送装置１０ｂは、図１及び２の実施例の歯車と図３及び４の実施例のベルトが省略され、垂直方向に方位されたコーナー当接部材２４，２６，２８及び３０が、適宜の方法で、例えば（図示のように）それらのフランジ４８を介しねじ４１によって、支持部材１２′を貫通する矩形開口６３内で支持部材１２′に直接に固着されて、それぞれ受部Ａ′，Ｂ′，Ｃ′及びＤ′を提供する点で、図１〜４の装置１０及び１０ａとは異なる。
【００３０】
物品の初期角度方位を維持することに抵抗するような、機械上で物品を９０°回転させるようとする場合のように、装置１０又は１０ａのねじ３１を緩め、装置１０又は１０ａを軸３５から外すように下方に摺動させ、装置１０ｂを軸３５上へ上方に摺動させ、そして装置１０ｂのねじ３１を締付けてこの装置を軸に固定することによって、装置１０ｂが装置１０又は１０ａに交換される。従って、標準の第５パネルカートン及び逆第５パネルカートン（切妻型頂部閉鎖パネルが標準の第５パネルカートンの頂部閉鎖パネルから９０°に方位されているが、同じ方位において下流側の充填、形成及び密封を通して搬送される）は、何も変えることなしに底部形成タレットを通して処理できる。
【００３１】
こうして、機械が標準の第５パネルカートン又は逆第５パネルカートンを送るか、又は装置１０又は１０ａと装置１０ｂとの両方を機械に一緒に供給するかに因り、包装機械製造業者は包装生産者に出荷する機械に合う装置１０又は１０ａあるいは装置１０ｂのいずれかを単に選択することができるので、生産者は或るスタイルのカートンから他のスタイルに機械を容易に変えることができる。２つの異なる種類の装置１０（又は１０ａ）及び１０ｂを有する可能な変形例は、装置１０又は１０ａが回転支持部材１２と分離可能なそのアイドル歯車２３Ａ〜２３Ｄ又はベルト６４及び６６及び回転支持部材に固定可能なその歯車１６〜２２又はプーリ８０〜８６を有することができる。こうして、機械製造業者は、回転支持部材と分離可能なそのアイドル歯車又はベルト及び回転支持部材に固定されたその外方歯車又はプーリをもつか、又は回転支持部材に係合したそのアイドル歯車又はベルト及び支持部材に対して回転可能なその外方歯車又はプーリをもついずれかの機械を出荷することができる。他方、包装生産者は装置を或る状態から他の状態へ変換できるのである。
【００３２】
図面はカートンの方位を変えることなしにカートンを移送する回転移送装置を示していることが明らかである。
【００３３】
さらに、多種のカートン形状を収容するために、各外方歯車又はリング内に形成された受部が４つのコーナー当接部材以外の所望の形状に形成できることが明らかである。
【００３４】
その上、所望の場合には、２つの対向配置された位置の代わりに、４つの受部位置の選択された１つを利用して、対としてではなく、１回に１個ずつカートンを移送できることが明らかである。
【００３５】
また、基本的に同一の形成、充填及び密封機械、並びにそれらの底部形成タレット及びマンドレル５８は、適切な回転移送装置１０，１０ａ又は１０ｂを協働して設置することによって上記基準又は逆第５パネルカートンを送るように形態づけできることが明らかである。
【図面の簡単な説明】
【図１】
図２の線１−１の平面に沿い矢印の方向から見た物品移送ステーションの１つの状態における底面図である。
【図２】
図１の矢印２の方向に沿った図１の構造の側面図である。
【図３】
図４の線３−３の平面に沿い矢印の方向から見た物品移送ステーションの変形例の１つの状態おける底面図である。
【図４】
図３の矢印４の方向に沿った図３の構造の側面図である。
【図５】
図１及び２又は図３及び４のものとは異なる状態で物品移送ステーションを示す底面図である。
【図６】
図５の構造の側面図である。
【符号の説明】
１０    回転移送装置
１０ａ  回転移送装置
１０ｂ  回転移送装置
１６    外方歯車
１８    外方歯車
２０    外方歯車
２２    外方歯車
２３Ｂ  アイドル歯車
２３Ｃ  アイドル歯車
２３Ｄ  アイドル歯車
３１    止めねじ
３９    Ｃクリップ
５４    カートン
５８    第１コンベヤ
６０    第２コンベヤ
６４    ベルト
６６    ベルト
８０    プーリ
８２    プーリ
８４    プーリ
８６    プーリ